(57)【特許請求の範囲】
【請求項１】
被制御設備の標識画像を認識するステップと、
前記標識画像に基づいて前記被制御設備の制御インタフェースを取得するステップと、
前記インタフェースでユーザーによりトリガーされた制御操作命令を受信するステップと、
前記被制御設備との間に確立された通信接続により、前記制御操作命令を前記被制御設備に送信するステップと、
を含み、
前記インタフェースでユーザーによりトリガーされた制御操作命令を受信するステップの前に、
前記被制御設備の運転状態情報を取得するステップをさらに含み、
前記被制御設備の運転状態情報を取得するステップは、
前記標識画像及びユーザーアカウントを含む第二状態取得要求を、サーバーに送信して、前記サーバーが、前記ユーザーアカウントに対応する各被制御設備の標識画像と各被制御設備の運転状態情報との間の対応関係が記憶されたデータベースから、前記標識画像に対応する運転状態情報を照会して取得するようにするステップと、
前記サーバーから送信された前記運転状態情報を受信するステップと、を含む、
ことを特徴とする設備の制御方法。
【請求項２】
前記被制御設備との間に確立された通信接続により、前記制御操作命令を前記被制御設備に送信するステップの前に、
前記標識画像に対応する接続状態提示に基づいて、現在前記被制御設備と前記通信接続が確立されているか否かを判断するステップと、
前記被制御設備と前記通信接続が確立されていない場合、前記標識画像を解析して、前記標識画像に対応する前記被制御設備の設備標識を取得するステップと、
前記被制御設備の設備標識に基づいて、前記被制御設備と前記通信接続を確立するステップと、
をさらに含む、
ことを特徴とする請求項１に記載の方法。
【請求項３】
前記標識画像に基づいて前記被制御設備の制御インタフェースを取得するステップは、
各被制御設備の標識画像と各被制御設備の制御インタフェースとの間の対応関係が記憶されたデータベースから、前記標識画像に対応する制御インタフェースを照会して取得するステップを含む、
ことを特徴とする請求項１または２に記載の方法。
【請求項４】
前記被制御設備の運転状態情報を取得するステップの後に、
前記運転状態情報に基づいて、前記制御インタフェースにおける対応する制御キーの表示状態を更新するステップを更に含む、
ことを特徴とする請求項１〜３の何れかに記載の方法。
【請求項５】
前記標識画像は、二次元コード画像を含む、
ことを特徴とする請求項１〜３の何れかに記載の方法。
【請求項６】
被制御設備の標識画像を認識するように構成された認識モジュールと、
前記認識モジュールにより認識された前記標識画像に基づいて、前記被制御設備の制御インタフェースを取得するように構成された第一取得モジュールと、
前記第一取得モジュールにより取得された前記インタフェースで、ユーザーによりトリガーされた制御操作命令を受信するように構成された受信モジュールと、
前記被制御設備との間に確立された通信接続により、前記受信モジュールにより受信された前記制御操作命令を前記被制御設備に送信するように構成された送信モジュールと、
を含み、
前記被制御設備の運転状態情報を取得するように構成された第二取得モジュールをさらに含み、
前記第二取得モジュールは、
前記標識画像及びユーザーアカウントを含む第二状態取得要求をサーバーに送信して、前記サーバーが、前記ユーザーアカウントに対応する各被制御設備の標識画像と各被制御設備の運転状態情報との間の対応関係が記憶されたデータベースから、前記標識画像に対応する運転状態情報を照会して取得するように構成された第二送信サブモジュールと、
前記サーバーから送信された、前記第二送信サブモジュールにより送信された前記第二状態取得要求に応答する前記運転状態情報を受信するように構成された第二受信サブモジュールとを含む、
ことを特徴とする設備制御装置。
【請求項７】
前記装置は、
前記認識モジュールにより認識された前記標識画像に対応する接続状態提示に基づいて、現在前記被制御設備と前記通信接続が確立されているか否かを判断するように構成された判断モジュールと、
前記判断モジュールにより前記被制御設備と前記通信接続が確立されていないと判断された場合、前記標識画像を解析して、前記標識画像に対応する前記被制御設備の設備標識を取得するように構成された解析モジュールと、
前記解析モジュールにより取得された前記被制御設備の設備標識に基づいて、前記被制御設備と前記通信接続を確立するように構成された接続確立モジュールと、
をさらに含む、
ことを特徴とする請求項６に記載の装置。
【請求項８】
前記第一取得モジュールは、
各被制御設備の標識画像と各被制御設備の制御インタフェースとの間の対応関係が記憶されたデータベースから、前記標識画像に対応する制御インタフェースを照会して取得するように構成された第一取得サブモジュールを含む、
ことを特徴とする請求項６または７に記載の装置。
【請求項９】
前記装置は、
前記第二取得モジュールにより取得された前記運転状態情報に基づいて、前記第一取得モジュールにより取得された前記制御インタフェースにおける対応する制御キーの表示状態を更新するように構成された更新モジュールを更に含む、
ことを特徴とする請求項６〜８の何れかに記載の装置。
【請求項１０】
前記認識モジュールにより認識された前記標識画像は、二次元コード画像を含む、
ことを特徴とする請求項６〜８の何れかに記載の装置。
【請求項１１】
コンピュータを動作させるとき、請求項１乃至５のいずれか一項に記載のデバイスの制御方法をコンピュータに実行させるコンピュータプログラム。
【請求項１２】
請求項１１に記載のコンピュータプログラムが記憶されたコンピュータ読み取り可能記憶媒体。
【発明の詳細な説明】
【技術分野】
【０００１】
［関連出願への相互参照］
本出願は、２０１５年９月１６日に中国国家知識産権局に出願された中国特許出願第２０１５１０５９０５３４．９号に基づくとともに当該出願を優先権を主張し、その全体の内容が参照に基づいてここに取り込まれる。
【０００２】
［技術分野］
本開示は、データ処理技術の分野に関し、特に、設備の制御方法、設備制御装置及び端末設備に関する。
【背景技術】
【０００３】
インテリジェント家庭用品の発展に伴い、家庭内のインテリジェント設備の数がますます増えている。インテリジェントでかつ快適な生活環境をよりよくするために、どのような方法を使用すれば、さまざまなインテリジェント設備をインテリジェントでかつ容易に制御するかが重要な問題となっている。
【０００４】
従来の制御方法は、一般的に、各インテリジェント設備に配置された制御ボタンまたはリモートコントロールなどのマッチング制御手段に基づいて、前記各インテリジェント設備を直接制御する。
【発明の概要】
【発明が解決しようとする課題】
【０００５】
本開示は、設備の制御方法、設備制御装置及び端末設備を提供し、ユーザーがインテリジェント設備をより容易に制御するようにする。
【課題を解決するための手段】
【０００６】
本発明の実施形態の第１の側面によると、被制御設備の標識画像を認識するステップと、前記標識画像に基づいて前記被制御設備の制御インタフェースを取得するステップと、前記インタフェースでユーザーによりトリガーされた制御操作命令を受信するステップと、前記被制御設備との間に確立された通信接続により、前記制御操作命令を前記被制御設備に送信するステップと、を含み、前記インタフェースでユーザーによりトリガーされた制御操作命令を受信するステップの前に、前記被制御設備の運転状態情報を取得するステップをさらに含み、前記被制御設備の運転状態情報を取得するステップは、前記標識画像及びユーザーアカウントを含む第二状態取得要求を、サーバーに送信して、前記サーバーが、前記ユーザーアカウントに対応する各被制御設備の標識画像と各被制御設備の運転状態情報との間の対応関係が記憶されたデータベースから、前記標識画像に対応する運転状態情報を照会して取得するようにするステップと、前記サーバーから送信された前記運転状態情報を受信するステップと、を含む設備の制御方法が提供される。
【０００７】
第１の側面の第１の可能な実施形態では、前記被制御設備との間に確立された通信接続により、前記制御操作命令を前記被制御設備に送信するステップの前に、前記方法は、前記標識画像に対応する接続状態提示に基づいて、現在前記被制御設備と前記通信接続が確立されているか否かを判断するステップと、前記被制御設備と前記通信接続が確立されていない場合、前記標識画像を解析して、前記標識画像に対応する前記被制御設備の設備標識を取得するステップと、前記被制御設備の設備標識に基づいて、前記被制御設備と前記通信接続を確立するステップと、をさらに含む。
【０００８】
第１の側面の第２の可能な実施形態では、前記標識画像に基づいて前記被制御設備の制御インタフェースを取得するステップは、各被制御設備の標識画像と各被制御設備の制御インタフェースとの間の対応関係が記憶されたデータベースから、前記標識画像に対応する制御インタフェースを照会して取得するサブステップを含む。
【００１２】
第１の側面、第１の側面の第１、第２の可能な実施形態によると、第１の側面の第３の可能な実施形態では、前記被制御設備の運転状態情報を取得した後に、前記運転状態情報に基づいて前記制御インタフェースにおいて対応する制御キーの表示状態を更新するサブステップを更に含む。
【００１３】
第１の側面、第１の側面の第１、第２の可能な実施形態によると、第１の側面の第４の可能な実施形態では、前記標識画像は、二次元コード画像を含む。
【００１４】
本開示の第２の側面によると、被制御設備の標識画像を認識するように構成された認識モジュールと、前記認識モジュールにより認識された前記標識画像に基づいて、前記被制御設備の制御インタフェースを取得するように構成された第一取得モジュールと、前記第一取得モジュールにより取得された前記インタフェースで、ユーザーによりトリガーされた制御操作命令を受信するように構成された受信モジュールと、前記被制御設備との間に確立された通信接続により、前記受信モジュールにより受信された前記制御操作命令を前記被制御設備に送信するように構成された送信モジュールと、を含み、前記被制御設備の運転状態情報を取得するように構成された第二取得モジュールをさらに含み、前記第二取得モジュールは、前記標識画像及びユーザーアカウントを含む第二状態取得要求をサーバーに送信して、前記サーバーが、前記ユーザーアカウントに対応する各被制御設備の標識画像と各被制御設備の運転状態情報との間の対応関係が記憶されたデータベースから、前記標識画像に対応する運転状態情報を照会して取得するように構成された第二送信サブモジュールと、前記サーバーから送信された、前記第二送信サブモジュールにより送信された前記第二状態取得要求に応答する前記運転状態情報を受信するように構成された第二受信サブモジュールとを含む、設備制御装置が提供される。
【００１５】
第２の側面の第１の可能な実施形態では、前記装置は、前記認識モジュールにより認識された前記標識画像に対応する接続状態提示に基づいて、現在前記被制御設備とは前記通信接続が確立されているか否かを判断するように構成された判断モジュールと、前記判断モジュールにより前記被制御設備とは前記通信接続が確立されていないと判断された場合、前記標識画像を解析して、前記標識画像に対応する前記被制御設備の設備標識を取得するように構成された解析モジュールと、前記解析モジュールにより取得された前記被制御設備の前記設備標識に基づいて、前記被制御設備と前記通信接続を確立するように構成された接続確立モジュールと、をさらに含む。
【００１６】
第２の側面の第２の可能な実施形態では、前記第一取得モジュールは、各被制御設備の標識画像と各被制御設備の制御インタフェースとの間の対応関係が記憶されたデータベースから、前記標識画像に対応する制御インタフェースを照会して取得するように構成された第一取得サブモジュールを含む。
【００２０】
第２の側面、第２の側面の第１、第２の可能な実施形態によると、第２の側面の第３の可能な実施形態では、前記装置は、前記第二取得モジュールにより取得された前記運転状態情報に基づいて、前記第一取得モジュールにより取得された、前記制御インタフェースにおいて対応する制御キーの表示状態を更新するように構成された更新モジュールを更に含む。
【００２１】
第２の側面、第２の側面の第１、第２の可能な実施形態によると、第２の側面の第４の可能な実施形態では、前記認識モジュールにより認識された前記標識画像は、二次元コード画像を含む。
【００２２】
本開示の第３の側面の実施形態によると、コンピュータを動作させるとき、請求項１乃至８のいずれか一項に記載のデバイスの制御方法をコンピュータに実行させるコンピュータプログラムが提供される。本開示の第４の側面の実施形態によると、請求項１７に記載のコンピュータプログラムが記憶されたコンピュータ読み取り可能記憶媒体が提供される。
【発明の効果】
【００２３】
上述の技術案は、以下の有益な効果を含むことができる。
【００２４】
被制御設備を制御するニーズがある場合、ユーザーの端末設備は、被制御設備の標識画像を認識することで被制御設備を認識し、当該標識画像に基づいて当該被制御設備の制御インタフェースを取得した後、ユーザーが被制御設備の制御インタフェースに基づいて、制御インタフェースに当該被制御設備の制御操作をトリガーする。よって、ユーザーの端末設備は、
被制御設備と通信接続を確立し、当該制御操作を被制御設備に送信して、被制御設備への制御を実現することができる。当該技術案において、ユーザーが同じユーザー端末に基づいて、各被制御設備の認識画像を認識でき、各被制御設備を容易に認識し、対応する被制御設備の制御インタフェースを取得し、当該制御インタフェースに基づいて被制御設備を容易に制御して、各被制御設備を制御する利便性を向上させる。
【００２５】
被制御設備を制御するニーズがある場合、ユーザー端末が被制御設備の標識画像を認識することで当該標識画像に基づいて被制御設備の制御インタフェースを取得し、接続状態提示に基づいて、被制御設備とは前記通信接続が確立されていないと判断された後、被制御設備と通信接続を確立する。よって、当該通信接続またはサーバーにアクセスすることに基づいて、被制御設備の運転状態情報を取得し、当該運転状態情報に応じて、制御インタフェースにおいて対応する制御キーをセットし、制御インタフェースにおいて各制御キーが正確にかつリアルタイムで表示される。よって、ユーザーは、制御インタフェースにおいて当該被制御設備への制御操作をトリガーすることで、被制御設備への制御を容易かつ正確に実現することができる。
【００２６】
被制御設備を制御するニーズがある場合、設備制御装置は、被制御設備の標識画像を認識することで被制御設備を認識し、当該標識画像に基づいて当該被制御設備の制御インタフェースを取得した後、ユーザーが被制御設備の制御インタフェースで、制御インタフェースに当該被制御設備の制御操作をトリガーする。よって、ユーザーの端末設備は、被制御設備と通信接続を確立し、当該制御操作を被制御設備に送信して、被制御設備への制御を実現することができる。当該技術案において、ユーザーが同じユーザー端末により、各被制御設備の認識画像を認識でき、各被制御設備を容易に認識し、対応する被制御設備の制御インタフェースを取得し、よって、各被制御設備を制御する利便性を向上させる。
【００２７】
被制御設備を制御するニーズがある場合、設備制御装置が被制御設備の標識画像を認識することで当該標識画像に基づいて被制御設備の制御インタフェースを取得し、接続状態提示に基づいて、被制御設備とは前記通信接続が確立されていないと判断された後、被制御設備と通信接続を確立する。よって、当該通信接続またはサーバーにアクセスすることで、被制御設備の運転状態情報を取得し、当該運転状態情報に応じて、制御インタフェースにおいて対応する制御キーをセットし、制御インタフェースにおいて各制御キーが正確にかつリアルタイムで表示される。よって、ユーザーは、制御インタフェースにおいて当該被制御設備への制御操作をトリガーすることで、被制御設備への制御を容易かつ正確に実現することができる。
【００２８】
前述の一般的な記述と次に続く詳細な記述の両方は、例示ためだけのものであり、本発明を限定するものではないと理解されるべきである。
【図面の簡単な説明】
【００２９】
本明細書に取り入れられその一部を構成する添付図面は、本発明と整合する実施形態を例示し、詳細な説明とともに本発明の原理を説明するのに役立つものである。
【００３０】
【図１】実施形態１に係る設備の制御方法を示すフローチャートである。
【図２】実施形態２に係る設備の制御方法を示すフローチャートである。
【図３】実施形態３に係る設備の制御方法を示すフローチャートである。
【図４】ステップ３０１の一つの実現方法のフローチャートである。
【図５】ステップ３０１のもう一つの実現方法のフローチャートである。
【図６】実施形態１に係る設備の設備制御装置を示すブロック図である。
【図７】実施形態２に係る設備の設備制御装置を示すブロック図である。
【図８】実施形態３に係る設備の設備制御装置を示すブロック図である。
【図９】実施形態４に係る設備の設備制御装置を示すブロック図である。
【図１０】実施形態５に係る設備の設備制御装置を示すブロック図である。
【図１１】実施形態に係る端末設備を示すブロック図である。
【図１２】実施形態に係るもう一つの端末設備を示すブロック図である。
【００３１】
上述の図面で本開示において明確の実施形態が示され、以下に詳細に説明する。これらの図面及び文字は、如何なる方法で本開示の範囲を限定せずに、特定の実施形態を参照することで当業者に本開示の概念を説明することである。
【発明を実施するための形態】
【００３２】
以下に、本発明の実施例を詳細に説明する。前記実施例の実例が図面に示されるが、異なる図面における同一の数字は、特に示さない限り、同一又は類似の要素を表す。例示的な実施例に記載されている実施形態は、本発明と一致する実施形態を全部記載された表したことではない。逆に、それらは、添付の特許請求の範囲に記載の本発明に関連する態様と一致する装置及び方法の単なる例示である。
【００３３】
図１は、実施形態１に係る設備の制御方法を示すフローチャートである。当該設備の制御方法の実行主体は、携帯端末であってもよく、携帯端末に基づいて、例えば、冷蔵庫、テレビ、エアコンなどのようなさまざまなインテリジェント設備を制御することができる。図１に示すように、当該設備の制御方法、以下のようなステップを含む。
【００３４】
ステップ１０１において、被制御設備の標識画像を認識する。
【００３５】
ステップ１０２において、標識画像に基づいて被制御設備の制御インタフェースを取得する。
【００３６】
ステップ１０３において、ユーザーがインタフェースでトリガーされた制御操作命令を受信する。
【００３７】
ステップ１０４において、被制御設備と通信接続を確立することで、制御操作命令を被制御設備に送信する。
【００３８】
本実施形態において、家庭場面を例として、家庭内で、テレビと、冷蔵庫と、エアコンと、温水器となどの多種類の設備があり、これらの設備全体が、被制御設備となり、各被制御設備には、当該被制御設備を認識するための、例えば二次元コード画像である識別画像がスタンプされていると仮定する。各被制御設備の識別画像には、当該被制御設備の、例えば設備標識と、機種と、メーカー名と等の多種類の属性情報を含む。
【００３９】
更に、各被制御設備全体は、通信機能を有し、家庭内ＬＡＮにおいて、ユーザーが携帯端末に基づいて各被制御設備と通信接続を確立できると仮定する。当該通信接続の確立は、WIFIに基づいて、携帯端末と各被制御設備との間に関連付けて接続されでもよい。
【００４０】
ユーザーが携帯端末に基づいてある被制御設備を制御したい場合、当該被制御設備の標識画像を走査して認識し、当該被制御設備への制御を自動的にトリガーする。
【００４１】
当該被制御設備への正確な制御を実現するために、まず、当該被制御設備の制御インタフェースを取得するニーズがある。当該制御インタフェースにおいて、当該被制御設備の制御メニューと、各制御キーと、各制御キーが表す被制御設備の運転状態情報となどが含まれる。当該被制御設備の運転状態情報は、例えば、オン・オフ状態と、現在の温度表示値となどの当該被制御設備の運転状態を表す状態情報である。
【００４２】
本実施形態において、被制御設備の標識画像に基づいて被制御設備の制御インタフェースを取得することができる。具体的には、携帯端末は、各被制御設備の標識画像と各被制御設備の運転状態情報との間の対応関係が記憶されたデータベースから、前記被制御設備の標識画像に対応する制御インタフェースを照会して取得することができる。
【００４３】
上述のデータベースは、携帯端末に記憶されることができる。この場合、当該データベースに記憶された各被制御設備の標識画像は、ユーザーの家庭内の各被制御設備の標識画像であり、これに相応して、各被制御設備の制御インタフェースはサーバーから照会して取得される。即ち、携帯端末は、認識して得られた各被制御設備の標識画像をサーバーに送信し、サーバーで標識画像を解析し、例えば被制御設備の設備標識を取得し、また当該設備標識に基づいて対応の制御インタフェースを参照して取得し、当該制御インタフェースを携帯端末にフィードバックし、携帯端末が受信された制御インタフェースと対応の標識画像を関連付けて上述のデータベースに記憶する。
【００４４】
また、上述のデータベースはサーバーに記憶されてもいい。この場合、携帯端末は、認識して得られた標識画像をサーバーに送信し、サーバーで各被制御設備の標識画像と各被制御設備の制御インタフェースとの間の対応関係が記憶されたデータベースに基づいて、上述の被制御設備の標識画像に対応する制御インタフェースを参照して取得する。そのうち、サーバーに記憶された各被制御設備の標識画像と制御インタフェースとは、大量な異なる設備の標識画像及び制御インタフェースであってもよく、多くのユーザーがサーバーに登録し、サーバーが多くの設備の標識画像を取得でき、更に、サーバーはログインされた各設備との交互して、各設備の制御インタフェースを取得することもできる。
【００４５】
本実施形態において、被制御設備を制御するニーズがある場合、ユーザーの端末設備は、被制御設備の標識画像を認識することで被制御設備を認識し、当該標識画像に基づいて当該被制御設備の制御インタフェースを取得し、その後ユーザーが被制御設備の制御インタフェースで当該被制御設備への制御操作をトリガーする。よって、ユーザーの端末設備は、被制御設備と通信接続を確立し、当該制御操作を被制御設備に送信し、被制御設備への制御を実現することができる。当該技術案において、ユーザーが同じユーザー端末により、各被制御設備の認識画像を認識して取得でき、各被制御設備を容易に認識し、対応する被制御設備の制御インタフェースを取得して、被制御設備への制御を容易に実現することで、各被制御設備を制御する利便性を向上させる。
【００４６】
図２は、実施形態２に係る設備の制御方法を示すフローチャートである。図２に示すように、図１に示す実施形態の上で、ステップ１０４の前に、当該方法は、以下のようなステップを更に含む。
【００４７】
ステップ２０１において、標識画像に対応する接続状態提示に基づいて、現在において被制御設備と通信接続が確立されているか否かを判断する。被制御設備と通信接続が確立されていない場合、ステップ２０２とステップ２０３とを実行し、且つステップ２０３の後に、ステップ１０２〜ステップ１０４を実行する。現在において被制御設備と通信接続を確立した場合、直接ステップ１０２〜ステップ１０４を実行する。
【００４８】
ステップ２０１は、ステップ１０２と、ステップ１０３との間に、厳密なタイミング関係がなく、ステップ２０１がステップ１０1の後かつステップ１０４の前に実行されば良い。図２において、ステップ２０１がステップ１０1の後に実行されることを例とする。
【００４９】
実際の応用にoおいて、携帯端末は、いつでも各被制御設備と通信接続を保持することではない。ユーザーがある被制御設備を制御したい場合に、携帯端末が当該被制御設備と通信接続を確立していない可能性がある。従って、本実施形態において、携帯端末が被制御設備と通信接続が確立されているか否かを判断するニーズがある。
【００５０】
具体的には、接続状態提示に基づいて判断する。ユーザーが携帯端末で走査して被制御設備の標識画像を取得し、当該標識画像に基づいて被制御設備の制御インタフェースを取得した後に、当該制御インタフェースを表示する際に、携帯端末が当該被制御設備と通信接続が確立されているか否かを表すための接続状態提示情報を関連付けて表示するように設置ことができる。例えば、「接続が確立」または「接続が未確立」のように表示する。
【００５１】
そのうち、当該接続状態提示は、携帯端末と当該被制御設備との通信接続が接続されるとき、「接続が確立」に設置されることができ、しかも、当該通信接続期間中に、「接続が確立」に設置されることもできる。携帯端末と当該被制御設備との通信接続が切断されるとき、「接続が未確立」に設置される。
【００５２】
携帯端末では、各被制御設備の標識画像と接続状態提示との対応関係がメンテナンスされることができる。よって、携帯端末が走査してある被制御設備の標識画像を取得した後に、当該標識画像に基づいてそれに対応する接続状態提示が当該被制御設備と通信接続を確立したことを指示するか否かを参照して確認する。
【００５３】
ステップ２０２において、取得された標識画像に対応する被制御設備の設備標識を解析する。
【００５４】
ステップ２０３において、被制御設備の設備標識に基づいて、被制御設備と前記通信接続を確立する。
【００５５】
接続状態提示に基づいて、被制御設備と通信接続を確立することを判断した後に、当該被制御設備と通信接続を確立するニーズがある。よって、その後、当該通信接続により被制御設備に対する無線制御を容易に行う。
【００５６】
具体的には、携帯端末は、標識画像を解析し、標識画像に含まれる被制御設備の設備標識を取得する、例えば、Ｗｉ−Ｆｉに基づいて、設備標識を伴っている接続確立要求を送信して、当該設備標識に対応する被制御設備が当該接続確立要求を受信すると、接続確立応答をフィードバックし、よって、携帯端末と被制御設備との間で通信接続を確立することができる。
【００５７】
本実施形態において、被制御設備を制御するニーズがある場合、ユーザー端末が被制御設備の標識画像を認識することで当該標識画像に基づいて被制御設備の制御インタフェースを取得し、接続状態提示に基づいて、現在被制御設備と通信接続が確立されていないことを判断した後、被制御設備と通信接続を確立する。よって、ユーザーは、制御インタフェースにおいて当該被制御設備への制御操作をトリガーした後、当該通信接続でユーザーによりトリガーされた制御操作を被制御設備に送信することができ、被制御設備への制御を容易かつ正確に実現することができる。
【００５８】
上述の各実施形態において、取得された被制御設備の制御インタフェースには、被制御設備の運転状態情報が含まれる。即ち、制御インタフェースにおける各制御キーの表示状態は、被制御設備の相応の運転状態と一致する。例えば、被制御設備はオン状態にある場合、制御インタフェースにおいて、オン状態に対応する制御キーは赤色になっている。しかし、実際の応用において、以下の状況がある可能性がある。携帯端末により上述のデータベースから被制御設備の標識画像に基づいて取得された被制御設備の制御インタフェースのリアルタイム性が不正確である可能性がある。このため、本開示実施形態は以下のような図３に示す処理方法を提供する。
【００５９】
図３は、実施形態３に係る設備の制御方法を示すフローチャートである。図３に示すように、図１または図２に示す実施形態に踏まえ、ステップ１０３の前に、当該方法は以下のようなステップをさらに含むことができる。
【００６０】
ステップ３０１において、被制御設備の運転状態情報を取得する。
【００６１】
ステップ３０２において、運転状態情報に基づいて制御インタフェースにおいて対応する制御キーの表示状態を更新する。
【００６２】
ステップ１０３において、ユーザーが更新された制御インタフェースに基づいて上述の制御操作命令をトリガーする。
【００６３】
本実施形態において、携帯端末で被制御設備が認識された後、被制御設備の運転状態をリアルタイムで取得することができる。よって、更新された制御インタフェースにおいて対応する制御キーの表示状態と被制御設備の現在の運転状態とが高い一致性を有する。
【００６４】
具体的には、ステップ３０１は、図４及び図５に示す二つの方法に基づいて実現される。
【００６５】
図４は、ステップ３０１の一つの実現方法のフローチャートである。図４に示すように、当該実現方法は、以下のようなステップを含む。
【００６６】
ステップ４０１において、被制御設備との通信接続により、被制御設備の運転状態情報を要求して取得するための第一状態取得要求を、被制御設備に送信する。
【００６７】
ステップ４０２において、前記通信接続により被制御設備によりフィードバックされた運転状態情報を受信する。
【００６８】
本実施形態において、携帯端末は、被制御設備と確立した通信接続に基づいて、被制御設備の運転状態情報を要求して取得するための第一状態取得要求を、当該通信接続により被制御設備に送信し、当該通信接続により被制御設備によりフィードバックされた運転状態情報を受信する。
【００６９】
携帯端末が被制御設備の制御インタフェース及び運転状態情報を取得した後、当該制御インタフェースを表示し、ユーザーとしては被制御設備の現在の運転状態情報を結合し、制御インタフェースにおいて制御操作することで、制御操作命令をトリガーする。よって、携帯端末は、被制御設備と通信接続を確立することで当該制御操作命令を被制御設備に送信し、被制御設備が当該制御操作命令を実行して、被制御設備への制御を実現する。そのうち、ユーザーが制御インタフェースにおいて、例えば、運転しているエアコンをオフすることやエアコンの冷却温度を調整すること、照明灯の輝度モードを変更することなどの制御操作を行うことができる。
【００７０】
本実施形態において、ユーザーが被制御設備の現在の運転状態をより直感的に理解するために、被制御設備の運転状態情報を取得した後、当該運転状態情報に基づいて、被制御設備の制御インタフェースにおいて対応する制御キーの表示状態を直接に更新する。即ち、当該運転状態情報に応じて、制御インタフェースにおいて対応する制御キーをセットする。
【００７１】
取得された運転状態情報が優れたリアルタイム性を有するため、被制御設備を正確に制御することができる。
【００７２】
図５は、ステップ３０１のもう一つの実現方法のフローチャートである。図５に示すように、当該実現方法は、以下のようなステップを含む。
【００７３】
ステップ５０１において、被制御設備の標識画像及びユーザーアカウントを含む第二状態取得要求を、サーバーに送信して、ユーザーアカウントに対応するように各被制御設備の標識画像と各被制御設備の運転状態情報との間の対応関係が関連付けて記憶されたデータベースから、サーバーが前記標識画像に対応する運転状態情報を照会して取得するようにする。
【００７４】
ステップ５０２において、サーバーからの運転状態情報を受信する。
【００７５】
本実施形態において、サーバーに基づいて被制御設備の運転状態情報を参照し取得する方法が提供される。
【００７６】
例えば、携帯端末を利用して家庭内の各被制御設備を制御するユーザーが、
サーバーにてユーザーアカウントを登録し、家庭内の各被制御設備の標識画像をサーバーに送信し、サーバーは当該ユーザーにより送信された各標識画像を当該ユーザーアカウントに対応するデータベースに記憶する。また、各被制御設備がサーバーとの通信接続に基づいて、自分の運転状態をサーバーにリアルタイムでアップロードし、サーバーが各被制御設備によりアップロードされた運転状態情報を当該ユーザーアカウントに対応するデータベースに、各被制御設備の標識画像と関連付けて記憶する。
【００７７】
従って、ゆーザーがある被制御設備を制御したい場合、携帯端末により、ユーザーアカウント及び当該被制御設備の標識画像を伴っている取得要求（即ち、上述の第二状態取得要求）を、サーバーに送信する。従って、サーバーは当該ユーザーアカウントに対応するデータベースから、該標識画像に基づいて、当該標識画像に対応する運転状態情報を参照し取得し、取得された運転状態情報を携帯端末に送信する。
【００７８】
本実施形態において、取得された運転状態情報が優れたリアルタイム性を有するため、被制御設備を正確に制御することができる。
【００７９】
図６は実施形態１に係るの設備制御装置を示すブロック図である。図６に示すように、当該装置は、被制御設備の標識画像を認識するように構成された認識モジュール１１と、認識モジュール１１により認識された前記標識画像に基づいて前記被制御設備の制御インタフェースを取得するように構成された第一取得モジュール１２と、第一取得モジュール１２により取得された前記インタフェースで、ユーザーがトリガーされた制御操作命令を受信するように構成された受信モジュール１３と、前記被制御設備との間に確立された通信接続により、前記受信モジュール１３により受信された前記制御操作命令を前記被制御設備に送信するように構成された送信モジュール１４と、を含む。
【００８０】
そのうち、前記第一取得モジュール１２は、各被制御設備の標識画像と各被制御設備の制御インタフェースとの間の対応関係が記憶されたデータベースから、前記標識画像に対応する制御インタフェースを照会して取得するように構成された第一取得サブモジュール１２１を含む。
【００８１】
本実施形態の設備制御装置は、図１に示す方法実施形態の技術案を実行するように用いられる。その実現原理及び技術的効果は当該方法のに類似するため、ここで説明しない。
【００８２】
図７は実施形態２に係る設備の設備制御装置を示すブロック図である。図７に示すように、前記装置は、図６に示す実施例を基礎とし、認識モジュール１１により認識された前記標識画像に対応する接続状態提示に基づいて、現在前記被制御設備と前記通信接続が確立されているか否かを判断するように構成された判断モジュール２１と、前記判断モジュール２１が、前記被制御設備と前記通信接続が確立されていないことを判断した場合、前記標識画像に対応する前記被制御設備の設備標識を解析して取得するように構成された解析モジュール２２と、前記解析モジュール２２により解析された前記被制御設備の設備標識に基づいて、前記被制御設備と前記通信接続を確立するように構成された接続確立モジュール２３と、をさらに含む
【００８３】
本実施形態の設備制御装置は、図２に示す方法実施形態の技術案を実行するように用いられる。その実現原理及び技術的効果は当該方法のに類似するため、ここで説明しない。
【００８４】
図８は実施形態３に係る設備の設備制御装置を示すブロック図である。
図８に示すように、当該装置は、図６または図７に示す実施例を基礎とし、前記被制御設備の運転状態情報を取得するように構成された第二取得モジュール３１と、第二取得モジュール３１により取得された前記運転状態情報に基づいて、第一取得モジュール１２により取得された前記制御インタフェースにおいて対応する制御キーの表示状態を更新するように構成された更新モジュール３２と、を更に含む。
【００８５】
本実施形態の設備制御装置は、図３に示す方法実施形態の技術案を実行するように用いられる。その実現原理及び技術的効果は当該方法のに類似するため、ここで説明しない。
【００８６】
図９は実施形態４に係る設備の設備制御装置を示すブロック図である。図９に示すように、図８に示す実施例を基礎とし、前記第二取得モジュール３１は、前記通信接続で前記被制御設備に、前記被制御設備の運転状態情報を要求して取得するための第一状態取得要求を送信するように構成された第一送信サブモジュール３１１と、前記通信接続で、前記被制御設備によりフィードバックされた、前記第一送信サブモジュール３１１が送信した前記第一状態取得要求に応答する前記運転状態情報を受信するように構成された第一受信サブモジュール３１２と、を含む。
【００８７】
本実施形態の設備制御装置は、図４に示す方法実施形態の技術案を実行するように用いられる。その実現原理及び技術的効果は当該方法のに類似するため、ここで説明しない。
【００８８】
図１０は実施形態５に係る設備の設備制御装置を示すブロック図である。図１０に示すように、図８に示す実施形態を基礎とし、前記第二取得モジュール３１は、サーバーに前記標識画像及びユーザーアカウントを含む第二状態取得要求を送信して、前記サーバーに、前記ユーザーアカウントに対応する、各被制御設備の標識画像と各被制御設備の運転状態情報との間の対応関係が記憶されたデータベースから、前記標識画像に対応する運転状態情報を照会して取得させるように構成された第二送信サブモジュール３１３と、前記サーバーからの、前記第二送信サブモジュール３１３により送信された、前記第二状態取得要求に応答する前記運転状態情報を受信するように構成された第二受信サブモジュール３１４と、を含む。
【００８９】
本実施形態の設備制御装置は、図５に示す方法実施形態の技術案を実行するように用いられる。その実現原理及び技術的効果は当該方法のに類似するため、ここで説明しない。
【００９０】
上述の実施形態の設備制御装置において、各モジュール及び各サブモジュールが操作を実行する方法は、関する方法実施形態において詳細に説明するため、ここで説明しない。
【００９１】
設備制御装置の内部機能及び構造を説明した。図１１に示すように、実際に、当該設備制御装置は、端末設備として実現されてもよい。当該端末設備は、プロセッサと、プロセッサにより実行可能な命令を記憶するように構成されたメモリと、を備え、前記プロセッサは、被制御設備の標識画像を認識し、前記標識画像に基づいて前記被制御設備の制御インタフェースを取得し、前記インタフェースでユーザーがトリガーした制御操作命令を受信し、前記被制御設備との間に確立された通信接続により、前記制御操作命令を前記被制御設備に送信するように構成されている。
【００９２】
上述の実施形態において、被制御設備を制御するニーズがある場合、ユーザーは端末設備に基づいて被制御設備の標識画像を認識することで被制御設備を認識し、当該標識画像に基づいて当該被制御設備の制御インタフェースを取得した後、ユーザーが被制御設備の制御インタフェースに基づいて、当該被制御設備の制御操作をトリガーする。よって、ユーザーの端末設備は、被制御設備と通信接続を確立し、当該制御操作を被制御設備に送信して、被制御設備への制御を実現することができる。当該技術案において、ユーザーが同じユーザー端末に基づいて、各被制御設備の認識画像を取得して認識でき、各被制御設備を容易に認識し、対応する被制御設備の制御インタフェースを取得して、当該制御インタフェースに基づいて、被制御設備を容易に制御し、よって、各被制御設備を制御する利便性及び正確性を向上させる。
【００９３】
図１２は、実施形態に係るもう一つの端末設備を示すブロック図である。例えば、当該端末設備８００は、スマートフォン、パーソナルコンピュータ、ポータブルコンピュータ、タブレットコンピュータなどでもよい。
【００９４】
図１２を参照すると、端末設備８００は、処理ユニット８０２と、メモリ８０４と、電源ユニット８０６と、マルチメディアユニット８０８と、オーディオユニット８１０と、入力／出力（Ｉ／Ｏ）インタフェース８１２と、センサユニット８１４と、通信ユニット８１６と、のうち１つ以上の構成要素を備えてもよい。
【００９５】
処理ユニット８０２は、一般的に、表示、電話、データ通信、カメラ動作及びレコーディング動作に関連する動作等の端末設備８００の全体の動作を制御するように構成されている。処理ユニット８０２は、上述した方法の全てのステップ又は一部のステップを実行するために、命令を実行するための１つ以上のプロセッサ８２０を備えてもよい。また、処理ユニット８０２は、１つ以上のモジュールを備え、これにより処理ユニット８０２と他のユニットとの間で相互に通信できるようにしてもよい、例えば、処理ユニット８０２は、マルチメディアモジュールを備え、これによりマルチメディアユニット８０８と処理ユニット８０２との間でインタラクションを行うことができるようにしてもよい。
【００９６】
メモリ８０４は、端末設備８００の動作をサポートするために様々な種類のデータを記憶するように構成されている。かかるデータの例としては、端末設備８００上で動作する幾つかのアプリケーション又は幾つかの方法のための命令、連絡先データ、電話帳データ、メッセージ、写真、ビデオ等が含まれる。メモリ８０４は、任意のタイプの揮発性若しくは不揮発性メモリ装置、又は、これらの組合わせを用いて構成されてもよく、例えば、スタティックランダムアクセスメモリ（ＳＰＲＡＭ）、電気的消去可能プログラマブルリードオンリーメモリ（ＥＥＰＲＯＭ）、消去可能プログラマブルリードオンリーメモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスク又は光学ディスク等を用いて構成されてもよい。
【００９７】
電源ユニット８０６は、端末設備８００の様々なユニットに電力を供給するように構成されている。電源ユニット８０６は、電源管理システム、１つ以上の電源、並びに、端末設備８００のための電力の生成、管理及び分配に関連する他のユニットを備えてもよい。
【００９８】
マルチメディアユニット８０８は、端末設備８００とユーザとの間に出力インタフェースを提供するように構成されたスクリーンを備えてもよい。幾つかの実施形態では、スクリーンは、液晶ディスプレイ（ＬＣＤ）及びタッチパネル（ＴＰ）を備えてもよい。スクリーンがタッチパネルを備える場合には、スクリーンは、ユーザから入力信号を受信するタッチスクリーンとして実現することができる。タッチパネルは、１つ以上のタッチセンサを含み、タッチパネル上でのタッチ、スワイプ及びジェスチャーを検知する。タッチセンサは、タッチ又はスワイプ動作の境界を検知するだけでなく、タッチ又はスワイプ動作を行っている時間、及び、タッチ又はスワイプ動作に関連する圧力を検知してもよい。幾つかの実施形態において、マルチメディアユニット８０８は、フロントカメラ及び／又はリアカメラを備える。フロントカメラ及び／又はリアカメラは、端末設備８００が撮影モード又はビデオモード等の動作モードになっている場合に、外部のマルチメディアデータムを受信してもよい。フロントカメラ及びリアカメラの各々は、固定光学レンズシステムであってもよいし、フォーカス及び光学ズーム機能を有していてもよい。
【００９９】
オーディオユニット８１０は、オーディオ信号を出力及び／又は入力するように構成されている。例えば、オーディオユニット８１０は、端末設備８００が通話モード、レコーディングモード及び音声認識モード等の動作モードになっている場合に外部のオーディオ信号を受信するように構成されたマイクロフォン（「ＭＩＣ」）を備える。更に、受信したオーディオ信号は、メモリ８０４に記憶されてもよいし、通信ユニット８１６を介して送信されてもよい。ある実施形態において、オーディオユニット８１０は、更に、オーディオ信号を出力するラウドスピーカーを備える。
【０１００】
Ｉ／Ｏインタフェース８１２は、処理ユニット８０２と周辺インタフェースモジュールとの間を接続するインタフェースを提供するように構成されている。周辺インタフェースモジュールとしては、キーボード、クリックホイール、ボタン等がある。ボタンは、限定されるものではないが、ホームボタン、ボリュームボタン、スタートボタン及びロックボタンを備えてもよい。
【０１０１】
センサユニット８１４は、１つ以上のセンサを備え、端末設備８００の様々な態様の状態評価を提供する。例えば、センサユニット８１４は、端末設備８００のオン／オフ状態、端末設備８００のユニット（例えば、表示スクリーン及びキーパッド）の相対位置、端末設備８００又は端末設備８００のユニット位置の変化、端末設備８００に接触するユーザの有無、端末設備８００の方向又は加速／減速、及び、端末設備８００の温度の変化を検知してもよい。センサユニット８１４は、いかなる物理的接触をすることなく、近くの物体の存在を検知するように構成された近接センサを備えてもよい。更に、センサユニット８１４は、画像アプリケーションで使用されるために、ＣＭＯＳ又はＣＣＤイメージセンサ等の光センサを備えてもよい。ある実施形態において、センサユニット８１４は、加速度センサ、ジャイロセンサ、磁気センサ、圧力センサ又は温度センサを備えてもよい。
【０１０２】
通信ユニット８１６は、端末設備８００と他の装置との間の有線通信又は無線通信を可能にするように構成されている。端末設備８００は、ＷｉＦｉ（登録商標）、２Ｇ若しくは３Ｇ、又は、これらの組合わせ等の標準規格に基づく無線ネットワークにアクセスすることができる。例示的な一実施形態において、通信ユニット８１６は、放送チャネルを介して外部の放送管理システムから放送信号又は放送関連情報を受信する。もう一つの例示的な一実施形態において、通信ユニット８１６は、更に、近距離無線通信（ＮＦＣ）モジュールを備え、短距離通信を可能にしている。例えば、ＮＦＣモジュールは、無線自動識別（ＲＦＩＤ）技術、赤外線通信協会（ＩｒＤＡ）技術、超広帯域（ＵＷＢ）技術、ブルートゥース（登録商標）（ＢＴ）技術、又は、他の技術などに基づいて実現されてもよい。
【０１０３】
例示的な実施形態において、上述した方法を実施するために、端末設備８００は、特定用途向け集積回路（ＡＳＩＣ）、デジタル信号プロセッサ（ＤＳＰ）、デジタル信号処理設備（ＤＳＰＤ）、プログラマブル（プログラムで制御可能な）論理設備（ＰＬＤ）、フィールドプログラマブルゲートアレイ（ＦＰＧＡ）、コントローラ、マイクロコントローラ、マイクロプロセッサ、又は、他の電子部品等の１つ以上の電子的要素を用いて実現されてもよい。
【０１０４】
例示の実施形態において、更に、命令を含む非一時的なコンピュータ読み取り可能な記録媒体が提供される。命令を含む非一時的なコンピュータ読み取り可能な記録媒体とは、命令を含むメモリ８０４等である。命令は、上述した方法を実施するために、端末設備８００のプロセッサ８２０に基づいて実行可能である。例えば、非一時的なコンピュータ読み取り可能な記録媒体は、ＲＯＭ、ＲＡＭ、ＣＤ−ＲＯＭ、磁気テープ、フロッピーディスク（登録商標）、光データ記憶装置等であってもよい。
【０１０５】
非一時的なコンピュータ読み取り可能な記録媒体が提供される。非一時的なコンピュータ読み取り可能な記録媒体における命令が端末設備８００のプロセッサにより実行されると、端末設備８００は、上述の実施形態の設備の制御方法を実行することができる。この方法は、被制御設備の標識画像を認識するステップと、前記標識画像に基づいて前記被制御設備の制御インタフェースを取得するステップと、前記インタフェースでユーザーによりトリガーされた制御操作命令を受信するステップと、前記被制御設備との間に確立された通信接続により、前記制御操作命令を前記被制御設備に送信するステップと、を含む。
【０１０６】
当業者にとって、本発明の他の実施形態は、ここで開示された本発明の明細書及び実施態様から明らかである。本願は、本発明の一般的原則に従い、且つ、当該技術分野において知られ又は慣行的に実施されている範囲内での本発明からの逸脱を含む、本開示の変形、使用又は適用をカバーすることを意図している。明細書及び実施例は、例示的なもののみが考慮されているが、本発明の真の範囲及び趣旨は、添付の特許請求の範囲に基づいて示されることが意図されている。
【０１０７】
本発明は、上述され、且つ、添付の図面に示された厳密な構成に限定されるものではなく、本発明の範囲から逸脱することなく様々な修正及び変更が可能であることは明らかである。本発明の範囲は、添付の特許請求の範囲に基づいてのみ限定されることが意図されている。
【図１】
0006318269.tif 000002
【図２】
0006318269.tif 000003
【図３】
0006318269.tif 000004
【図４】
0006318269.tif 000005
【図５】
0006318269.tif 000006
【図６】
0006318269.tif 000007
【図７】
0006318269.tif 000008
【図８】
0006318269.tif 000009
【図９】
0006318269.tif 000010
【図１０】
0006318269.tif 000011
【図１１】
0006318269.tif 000012
【図１２】
0006318269.tif 000013